(57)【要約】乳房を互いにより接近させる可逆的な効果を有するブラジャーである。本発明は、ブリッジ部（４）により互いに連結された２つのカップ（２、３）と、カップ間の距離を選択的に縮小または拡大可能な、ブリッジ部（４）に位置された、カップ間の距離を調節するための手段（５）とを含み、当該調節手段（５）が２つのカップを互いに可逆的に締結するための手段を含む、ブラジャー（１）に関する。本発明によれば、当該可逆的な締結手段は、ブリッジ部（４）の両側に配置され、且つ、基本的にブリッジの方向に、ブリッジ部と反対側のカップ（２、３）の側部に手で加えられる圧力（Ｆ）の作用の下で、２つのカップ（２、３）が互いにより接近する結合位置と、２つのカップ（２、３）が離間する解放位置との間を互いに対して移動可能である、第１の締結要素（５１）および第２の締結要素（５２）を含む。【選択図】図１
2016527413.tif 000002
【特許請求の範囲】
【請求項１】
２つのカップの内側（２１、３１）でブリッジ部（４）により互いに連結された２つのカップ（２、３）と、
前記ブリッジ部（４）に位置する、前記カップ間の距離を選択的に縮小または延長できる、前記カップ間の距離の調節手段（５）とを備えるブラジャー（１）であって、
前記調節手段（５）が、前記２つのカップを互いに締結する可逆的な手段を有し、
前記締結する可逆的な手段が、前記ブリッジ部の反対側にある、前記カップ（２、３）の側部上に手で圧力（Ｆ）を加える結果、両方のカップ（２、３）を互いにより接近させた結合位置と、両方のカップ（２、３）を離間させた解放位置との間で、基本的に前記ブリッジ部の方向に、一方が他方に対して移動可能である第１の締結要素（５１）と第２の締結要素（５２）を有し、
前記ブラジャーが、さらに、前記圧力（Ｆ）を加えたときに、前記締結要素（５１）の少なくとも１つを移動させる誘導装置（５３）を備え、
前記誘導装置（５３）が、前記締結要素間の誘導経路（５３１）を定め、前記締結要素（５１）の少なくとも１つが、２つの前記締結要素（５１、５２）の結合位置への移動の間、係合されることを特徴とする、
ブラジャー（１）。
【請求項２】
前記誘導装置（５３）が、前記２つの締結要素（５１、５２）の誘導された結合を確実にするのに必要とされる前記誘導経路（５３１）を画定する、前記２つの締結要素間を進行する右上がりの誘導斜面を備えることを特徴とする、
請求項１に記載のブラジャー。
【請求項３】
前記２つの締結要素（５１、５２）が、それらの結合位置へ向かって移動する間の、前記誘導経路（５３１）上に、前記締結要素（５１）のうちの少なくとも１つの固定手段を備えることを特徴とする、
請求項１または２に記載のブラジャー。
【請求項４】
前記固定手段が、前記誘導経路（５３１）に対して前記締結要素（５１）のうちの少なくとも１つの反対側に位置する磁石（５４）を備えることを特徴とする、
請求項３に記載のブラジャー。
【請求項５】
前記締結手段（５１、５２）が、誘導されるフック（５１）および誘導アイレット（５２）を備え、
前記誘導装置（５３）が、前記誘導アイレット（５２）と共に組立てられ、
前記誘導経路（５３１）が、前記誘導されるフック（５１）を受けることを特徴とする、
請求項１から４のいずれか一項に記載のブラジャー。
【請求項６】
前記締結要素（５１、５２）が、前記カップ（２、３）の内面または外面上に配置されることを特徴とする、
請求項１から５のいずれか一項に記載のブラジャー。
【請求項７】
前記締結要素（５１、５２）が、前記カップの底部周縁（２０、３０）で前記ブラジャー内に挿入される剛性のワイヤの所で前記カップ（２、３）間に配置されることを特徴とする、
請求項１から５のいずれか一項に記載のブラジャー。
【請求項８】
前記ブリッジ部（４）が、前記締結要素（５１、５２）の前記解放位置において、前記カップ（２、３）間の最大の隙間を制限するように、前記カップ間に配置され、且つ、前記カップ間の距離の前記調節手段（５）と共に動作するように構成される、延長制限装置を備えることを特徴とする、
請求項１から７のいずれか一項に記載のブラジャー。
【請求項９】
前記延長制限装置が、少なくとも１つの伸縮性の織物のピース（５６）を備え、
これにより、前記伸縮性の限度が、前記カップ間の最大の隙間を規定することを可能にすることを特徴とする、
請求項８に記載のブラジャー。
【発明の詳細な説明】
【技術分野】
【０００１】
一般に、本発明はブラジャーに関し、より詳細には、本発明は、ブリッジ部によりカップの内側を通して互いに連結された２つのカップを含み、且つ、カップ間の距離を選択的に縮小または延長できる、ブリッジ部に位置する、カップ間の距離を調節するための手段を含み、当該調節手段が２つのカップを互いに締結するための可逆的な手段を含む、ブラジャーに関する。
【背景技術】
【０００２】
このようなブラジャーは、特許文献ＣＮ２０１４０９４６４に提供された実施例などにより、当業者によく知られている。確かに、この特許文献は、ブラジャーの着用者の乳房を接近または離間させることを可能にする、ブラジャーのカップ間の距離を調節するシステムを明らかにしている。そうするために、ボタンの位置に応じてカップ間の距離を調節するように、カップのうちの一方は、他方のカップの底部周縁に沿って一定の間隔で提供されたボタンホールに嵌合するボタンをその端部に備えたブリッジ部にて延長部を備える。しかし、カップ間の距離の調節は、少なくとも部分的な取外しや困難な操作を必要とするので、制限がある。
【０００３】
ブリッジ部に位置するシステムにより創出される、乳房を互いにより接近させる効果（「谷間」）によって胸の形を大きくすることを可能にする他の解決策も知られている。このように、押しボタンを含むロック機構により２つのカップを寄せ集める引っ張り紐の長さを決定することにより、乳房間の距離を調節可能にするシステムが知られている。押しボタンにより、作動中に、引っ張り紐上のロックが解放されて引っ張り紐がロック機構を通って自由にスライドできるようになり、これにより、例えば紐を下方に引き寄せることにより、２つのカップを互いにより接近させ、それゆえ乳房間の隙間を減少させることが可能となる。この解決法が、選択的に調節可能な「谷間」効果を生じさせるようにカップ間の距離の決定を可能にするとしても、やはり、この効果は、目立たないようにまたは即座に実現できないので、完全に満足のいくものではない。
【０００４】
２つのカップが、２つのカップの内側のそれぞれの縁部に沿って提供された一連のアイレットを通った締め紐によって連結され、これにより引締めの程度によりある程度はっきりした「谷間」効果を得ることが可能となるブラジャーも知られている。ここでもやはり、この機構は、確実に効果的な「谷間」効果を実現することを可能にするが、使用者が調節のために自分自身を隔離する必要がある。
【０００５】
最後に、ブラジャーのカップ内に取外し可能な気泡ゴムパッドを付加することに基づいて乳房を互いにより接近させることを可能とするシステムがある。ところが、パッドが取外し可能であっても、ここでの「谷間」効果を元に戻すのは、まずブラジャーを外してから、カップの内側に挿入されたパッドを取除くことを伴うので、非常に手間のかかるものである。
【先行技術文献】
【特許文献】
【０００６】
【特許文献１】中国特許出願公開第２０１４０９４６４号明細書
【発明の概要】
【０００７】
こうした背景において、本発明の目的は、前述の制約のうちの少なくとも１つがないブラジャーを提案することである。具体的には、本発明の目的は、可逆的に乳房を互いにより接近させること（「谷間」）を簡単且つ迅速に生じさせるのを可能し、同時にそれを目立たないように実行できるブラジャーを提案することである。
【０００８】
この目的のために、上記の前置きによって与えられた包括的定義に実際には従う本発明のブラジャーは、基本的に、前述の可逆的な締結手段が、ブリッジ部の両側に提供され、且つ、基本的にブリッジ部の方向に、ブリッジ部と反対側のカップの側部上に手で圧力を加える結果、２つのカップが互いにより接近する連結位置と、２つのカップが離れる解放位置との間で、一方が他方に対して移動可能である、第１の締結手段および第２の締結手段を含むことを特徴とする。
【０００９】
この構成のおかげで、カップ間の距離を調節することを可能にする可逆的な締結手段は、両腕を単に締めること、または乳房の側部上に手を単に当てることによって、容易且つ迅速に扱うことができ、そのため、「谷間」効果を生じさせるのに必要な締結手段の結合を達成するには１つの動作で十分であり、同じ動作が、ブラジャーの前の位置に戻るように締結要素を解放することも可能にする。
【００１０】
本発明の実施形態の好ましい方法において、ブラジャーは締結手段のうちの少なくとも１つを移動させるための誘導装置を備え、この誘導手段は、２つの締結手段がそれらの結合位置へ向かって移動する間に、締結手段のうちの少なくとも１つを導く、締結手段間の誘導経路を画定する。
【００１１】
この構造により、有利には、締結要素の相互間の誘導された結合を確実にすることが可能になる。
【００１２】
例えば、誘導装置は、２つの締結手段の間を進行して、それゆえ、２つの締結手段の誘導された結合を確実にするのに必要とされる誘導経路を画定する、右上がりの誘導斜面を備えることができる。
【００１３】
ブラジャーは、２つの締結手段がそれらの結合位置に向かって移動するときに、誘導経路上に、前述の締結手段のうちの少なくとも１つの固定手段を含むのが好ましい。この固定手段は、有利には、誘導装置によって画定された誘導経路に向かって、またこれに沿って、そしてそれゆえもう１つの締結要素に至る、誘導される締結手段の強制的な移動を可能にし、その結果、誘導される締結要素は、側圧を加えることによって「谷間」効果を生じさせるときに結合するもう１つの締結要素と必ず係合する。
【００１４】
前述の固定手段は、前述の誘導装置内に一体に据えられ、且つ、誘導経路に対して前述の締結要素のうちの少なくとも１つと反対側に配置される、磁石を含むことができる。
【００１５】
実施形態の方法によれば、締結要素は、誘導されるフックおよび誘導アイレットを含み、誘導装置は誘導アイレットと共に組立てられ、誘導経路は誘導されるフックを受ける。
【００１６】
締結要素は、カップの内面または外面上に配置できる。
【００１７】
変形形態において、締結要素は、カップの底部周縁にあるブラジャー内に挿入される剛性のワイヤの所でカップ間に配置できる。
【００１８】
好ましくは、ブリッジ部は、締結要素の解放位置においてカップ間の最大の隙間を制限するように、カップ間の距離を調節するための手段と共に動作するように調節される、カップ間に配置される延長制限装置を含む。
【００１９】
実施形態の好ましい方法によれば、カップ間に配置される延長制限装置は、少なくとも１つの伸縮性の織物のピース（ｐｉｅｃｅ、部分品）を含み、これにより、伸縮性の限度が、カップ間の最大の隙間を規定することを可能にする。
【００２０】
本発明の他の特徴および利点が、添付の図面を参照し、限定する目的ではなく情報として与えられる本発明の実施形態の具体的な方法についての以下の説明を読むことで、明らかとなろう。
【図面の簡単な説明】
【００２１】
【図１】離れた位置にある２つのカップを示す本発明に従ったブラジャーの概略正面図である。
【図２】互いにより接近した２つのカップを示す本発明に従ったブラジャーの概略正面図である。
【図３】締結要素を解放する位置、それらの締結位置に向かって互いに向かって締結要素を移動させる位置、および、締結要素の結合位置における、本発明の実施例の好ましい方法に従ったカップ間の距離を調節するための手段についての、平面Ｐに従った詳細な概略断面図である。
【図４】締結要素を解放する位置、それらの締結位置に向かって互いに向かって締結要素を移動させる位置、および、締結要素の結合位置における、本発明の実施例の好ましい方法に従ったカップ間の距離を調節するための手段についての、平面Ｐに従った詳細な概略断面図である。
【図５】それぞれ、締結要素を解放する位置、それらの締結位置に向かって互いに向かって締結要素を移動させる位置、および、締結要素の結合位置における、本発明の実施例の好ましい方法に従ったカップ間の距離を調節するための手段についての、平面Ｐに従った詳細な概略断面図である。
【図６】カップ間の距離を調節するための手段の実施形態の変形形態を示す平面Ｐに従った概略断面図である。
【発明を実施するための形態】
【００２２】
本発明のブラジャー１は、肌に向かって裏返したその内面の側に典型的な凹形（実質的および部分的に半球形）を示す、それぞれ左のカップ２および右のカップ３である２つのカップを備える。カップ２および３は、実質的に各カップ２、３の底部周縁２０、３０の延長において短いブリッジ部４によりそれらの内側２１、３１上で互いに連結されるのが一般的である。本発明によれば、以下でさらに詳しく理解されるように、ブリッジ部は、乳房を互いにより接近させる効果を生じさせるためにカップ間の距離を調節するための手段５を受けるように構成される。各カップ２、３の底部周縁２０、３０は横方向に引っ張られ、その結果、カップに対してブリッジ部４と反対側の、カップ２、３の外側の側面部２２、３２が、ブラジャー１の背面に平坦部を形成する図示しないアームに連結される。アームはブラジャーの背面を閉じることを可能にする留め具で終端する。さらに、ストラップ６が、外側のカップ２、３の上部を背面の平坦部につなぐ。
【００２３】
カップ間の距離を調節するための手段５は、ブリッジ部４の両側上に位置し、且つ、カップのうちの一方、例えば右のカップ３上に位置するフック５１と、他方の左のカップ２上に位置する、フック５１と反対側のアイレット５２とから構成される、第１の締結要素５１および第２の締結要素５２を備える、図１および図２に概略的に示した可逆的な締結手段を備える。
【００２４】
フック５１およびアイレット５２は、可逆的に結合されるように意図され、その結果、それらの結合位置において、それらは２つのカップ２および３を互いにより接近させて「谷間」効果を生じさせる。本発明によれば、基本的に、フック５１およびアイレット５２が両側に配置されたブリッジ部４の方向に、側圧Ｆがカップ２、３の側部２２、３２に手で加えられる結果として、フック５１およびアイレット５２は、それらの解放位置（図１参照）からそれらの結合位置（図２参照）へ、またその逆に、一方を他方に対して移動できる。この結果、ブラジャーのカップ２、３上に前述の側圧Ｆを発生させるために、ブラジャーを着用する人物が両腕を単に締めることによって、あるいは、使用者の手を乳房の側部上に単に押し付けることによって、「谷間」効果が調節可能に作られる。
【００２５】
より具体的には、図１および図２に概略的に示したように、フック５１およびアイレット５２は、カップ２、３の底部周縁２０、３０の縁部に挿入できる剛性の補強ワイヤの所でカップ間に位置することができる。このような構成は、ワイヤを互いに寄せることが、それらの結合位置における締結要素により占有される空間によって制限される範囲内で、満足のいくものであるが軽やかな「谷間」効果を生じさせることを可能にする。
【００２６】
変形形態として、フック５１およびアイレット５２は、カップ２、３の内面または外面に、それらの周縁から一定の距離で位置されてもよい。このように、それらの結合位置において、それらは、カップ間の距離を可能な限り縮小できるという事実によって、よりはっきりとした「谷間」効果の生成を可能にする。
【００２７】
カップ間の距離を調節するための手段５のフック／アイレットタイプの締結要素５１、５２の構成がどのようなものか、それらの構成が、図３〜図５を参照して次にさらに詳しく説明される。図３〜図５は、実施形態の第１の方法に従った、図１の平面Ｐに応じた断面図として、カップ間の距離を調節するための手段５を示すものである。
【００２８】
このように、カップ間の距離を調節するための手段５は、側圧Ｆがフック５１およびアイレット５２をそれらの結合位置に向かって移動させることに続いて、アイレット５２に向かってフック５１を誘導することが可能な、フック５１を移動させるための誘導装置５３を含むのが好ましい。誘導装置５３は、同時に、共に組立てられるアイレット５２のための土台である。そうするために、誘導装置５３は、フック５１がアイレット５２との結合位置に向って移動する方向に右上がりの斜面のある傾斜側面５３１を有する板成形土台５３０を備え、これにより自由端はアイレット５２により延出され、自由端はアイレット５２に、その縁部のうちの１つにより固定され、その結果、アイレット５２および板成形土台５３０は、好ましくは、実質的に平行面に位置される。続いて、誘導されるフック５１および誘導アイレット５２について言及する。
【００２９】
誘導されるフック５１と誘導アイレット５２との間を進行する右上がりの斜面を形成することにより、誘導装置５３の傾斜側面５３１は、誘導されるフック５１と誘導アイレット５２との間の誘導経路を結果的に画定する。この誘導経路は、図４および図５に示すように、結合のために誘導アイレット５２に向かう斜面の方向に従ってフック５１の移行を動作させるように、誘導されるフック５１を受けることが可能である。
【００３０】
さらに、誘導磁石５４が、有利に、性質的に金属であるのが有利である誘導されるフック５１を引きつける位置にあるように、そしてそれゆえ、誘導されるフック５１と誘導アイレット５２との間の結合をもたらすように側圧Ｆが加えられるときに、フック５１を、誘導経路５３１に向かって、及び、誘導経路５３１に沿って固定するように、誘導装置５３の誘導経路を形成する傾斜側面５３１に誘導されるフック５１に対して反対側に配置できる。磁石５４は、誘導装置５３内に組込まれるのが好ましく、図３〜図５に示した実施例によれば、磁石５４は、板成形土台５３０の上面に、実質的に誘導装置５３の傾斜側面５３１の下部に位置される。
【００３１】
図６に示した実施形態の別の方法によれば、アイレット５２は板成形土台５３０に向かって傾斜され、誘導磁石５４は、誘導経路５３１の自由端上に据えられた縁部とは反対側の、アイレット５２の縁部上にオフセットされる（ずらして置かれる）。
【００３２】
使用される磁石５４は、好ましくは、ユーザが携帯するかもしれない心臓刺激装置の感度閾値、典型的には１ｍＴを超えない磁場を生成することになり、その結果、本発明に従ったブラジャーは、これらの特定の状況下で安全に使用できる。
【００３３】
このように、誘導されるフック５１と誘導されるアイレット５２とが側圧Ｆの効果の下でそれらの結合位置に向かって移動するように誘発されるときに、誘導装置５３は、誘導磁石５４の働きとあいまって、誘導されるフック５１が誘導アイレット５２と必ず結合することを可能にする。この場合には、磁石５４と誘導されるフック５１との間に、締結の有効性を減少させるであろう干渉を発生させないように、誘導装置５３はプラスチック材料から作られるのが有利である。
【００３４】
誘導経路５３１を経由して誘導アイレット５２に至る方向とは異なる方向に、誘導されるフック５１が磁石によって引きつけられるのを防止するように、磁気絶縁ストリップ５５が、有利には磁石５４の下の、誘導装置５３の板成形土台５３０の底面を覆うのに使用できる。
【００３５】
有利には、誘導されるフック５１および誘導アイレット５２の解放位置におけるカップ２、３間の最大の隙間を制限するように、ブリッジ部４は、カップ間の距離を調節するための手段５と協働するように設計される延長制限装置を備える。
【００３６】
従って、延長制限装置は、ストリップ（細長い１片）の形をとる織物部５６を備えることができる。この織物部５６は、好ましくはプラスチック製であり、カップ間に配置され、その端部によりカップに固定され、カップ間の距離を調節するための手段５に対して好ましくは正面に位置されて、手段５を被覆する。誘導されるフック５１および誘導アイレット５２の解放位置におけるカップ間の最大の隙間を制限するように、伸縮性の生地のストリップが、カップ間の距離を調節するための手段５と共に動作するように設計される。その生地の伸長は、これらの締結要素が解放されているときに最大であり、それゆえ、カップ２、３間の隙間の限度を規定する。好ましくは５０〜２５０％の範囲内の比較的「不安定」な、伸長が制限された伸縮性の縦糸と横糸からなる織物を選択するものが有利であろう。さらに、伸長された場合に生地がそれ自体に捲り上がらないように、伸縮性は一方向であるのものとする。
【００３７】
延長制限装置は、カップ間に延出し、カップ間の距離を調節するための手段５を囲繞する、好ましくは伸縮性の生地のシース（ｓｈｅａｔｈ、覆い）を形成するように設計されてもよく、手段５はそれゆえこのシース内に挿入される。シースは、カップ間の距離を完全に調節するための手段５を隠すのを可能にするだけでなく、起こり得る炎症及び／または摩擦を防ぐようにユーザのための保護カバーを形成するのを可能にする。さらに、シースは、締結要素５１、５２の解放位置におけるカップ間の最大の隙間を制限または調整するように、延長制限装置の働きもする。この目的のために、シースは、上述のものと同様の特徴を有する伸縮性の生地、すなわち、好ましくは５０〜２５０％の範囲内の比較的「不安定」な、伸長が制限された縦糸と横糸からなる織物から作られる。さらに、伸長された場合に生地がそれ自体に捲り上がらないように、伸縮性は一方向であるのものとする。従って、カップの最大の隙間は、締結要素５１、５２が解放されているときの、シースを形成する生地の最大の伸長機能によって制限されるであろう。
【符号の説明】
【００３８】
１      ブラジャー
２      左のカップ
３      右のカップ
４      ブリッジ部
５      調節手段、カップ間の距離を調節するための手段
６      ストラップ
２０    カップ２の底部周縁
２１    カップ２の内側
２２    カップ２の外側の側面部
３０    カップ３の底部周縁
３１    カップ３の内側
３２    カップ３の外側の側面部
５１    第１の締結要素、フック
５２    第２の締結要素、アイレット
５３    誘導装置
５３０  板成形土台
５３１  誘導経路、傾斜側面
５４    誘導磁石
５５    磁気絶縁ストリップ
５６    織物部
Ｆ      圧力、側圧
Ｐ      平面
【図１】
2016527413.tif 000003
【図２】
2016527413.tif 000004
【図３】
2016527413.tif 000005
【図４】
2016527413.tif 000006
【図５】
2016527413.tif 000007
【図６】
2016527413.tif 000008
【国際調査報告】
2016527413.tif 000009
2016527413.tif 000010
2016527413.tif 000011
2016527413.tif 000012